(57)【特許請求の範囲】
【請求項１】
現在のフレーム映像と直前のフレーム映像によって決まるオーバードライブ係数に基づき、表示パネルのオーバードライブ駆動を行うルックアップテーブルを備えたオーバードライブ駆動部と、
前記表示パネルの温度を検出する温度検出部と、
前記検出された温度に適したオーバードライブ係数が複数記憶される記憶部と、
起動や休止状態から復帰したときの前記表示パネルの動作経過時間を監視する時間監視部と、
前記表示パネルの前面に設けられ、前記表示パネルに表示されるテストパターンの輝度を測定し、電圧に変換して応答速度を検出する応答速度測定部と、
任意階調の前記テストパターンを順次生成して前記オーバードライブ駆動部へ出力するテストパターン生成部と、
前記表示パネルの応答速度の測定モード時、前記テストパターン生成部を起動して前記テストパターンを順次生成するとともに、前記応答速度測定部から輝度の測定結果を取込んで順次オーバードライブ係数を算出し、前記温度検出部から取得した温度情報と、前記時間監視部から取得した時間情報とを基に、前記検出された温度と前記表示パネルの動作経過時間から求められる最適なオーバードライブ係数として、前記順次算出したオーバードライブ係数を前記記憶部に記憶させる制御部と、を有する
ことを特徴とする画像表示装置。
【請求項２】
外部に外気温を検出する外気温検出部を更に備え、
前記制御部は、前記温度検出部から取得した温度情報と前記外気温検出部から取得した外気温情報との差分と、前記時間監視部から取得した前記表示パネルの動作経過時間情報とを用いて前記記憶部に記憶されたオーバードライブ係数を選択し、前記ルックアップテーブルに設定する
ことを特徴とする請求項１に記載の画像表示装置。
【請求項３】
前記表示パネルの使用状態における回転方向を検出する回転方向検出部を更に備え、
前記制御部は、前記温度検出部から取得した温度情報と、前記時間監視部から取得した前記表示パネルの動作経過時間情報と、前記回転方向検出部から取得した前記表示パネルの回転方向情報とを用いて前記記憶部に記憶されたオーバードライブ係数を選択し、前記ルックアップテーブルに設定する
ことを特徴とする請求項１または２に記載の画像表示装置。
【請求項４】
現在のフレーム映像と直前のフレーム映像によって決まるオーバードライブ係数に基づき、表示パネルのオーバードライブ駆動を行うルックアップテーブルを備えた画像表示装置におけるオーバードライブ係数の最適化方法であって、
前記表示パネルの温度を検出するステップと、
前記画像表示装置の起動や休止状態から復帰したときの前記表示パネルの動作経過時間を監視するステップと、
オーバードライブ駆動部が、前記ルックアップテーブルに設定されたオーバードライブ係数に基づき表示パネルのオーバードライブ駆動を行うステップと、
前記表示パネルの前面に設けられた応答速度測定部が、前記表示パネルに表示されるテストパターンの輝度を測定し、電圧に変換して応答速度を検出する応答速度測定ステップと、
任意階調の前記テストパターンを順次生成して前記オーバードライブ駆動部へ出力するテストパターン生成ステップと、
前記表示パネルの応答速度の測定モードにおいて、前記テストパターン生成ステップを起動して前記テストパターンを順次生成するとともに、前記測定された輝度の測定結果を取込んで順次オーバードライブ係数を算出し、温度検出部から取得した温度情報と、時間監視部から取得した時間情報とを基に、前記検出された温度と前記表示パネルの動作経過時間から求められる最適なオーバードライブ係数として、前記順次算出したオーバードライブ係数を記憶部に記憶させるステップと、
を有することを特徴とする画像表示装置におけるオーバードライブ係数の最適化方法。
【発明の詳細な説明】
【技術分野】
【０００１】
本発明は、特に、オーバードライブ駆動を行うＬＣＤ動画表示に用いて好適な、画像表示装置および画像表示装置におけるオーバードライブ係数の最適化方法に関する。
【背景技術】
【０００２】
近年、画像表示装置として、液晶（ＬＣＤ）ディスプレイをはじめとするフラットパネルディスプレイが普及してきている。
また、ＰＣの高速化に伴い、ＬＣＤで動画表示を扱うケースが増えてきた。また、ＬＣＤパネルの大型化と画質向上に伴い、一般家庭においてテレビジョン用途としても普及し、流通市場ではＬＣＤパネルの動画表示品位に対する要求が高くなってきている。
【０００３】
ところで、上記したＬＣＤパネルは、ＬＣＤパネルを構成する各セル（画素）に印加される電界を変化させることで各セルの透過率を変化させ、画像を表示する。このとき、ＬＣＤセルの透過率は比較的ゆっくり変化するため、動画を表示したときに、現フレームの映像に直前のフレームの映像の一部が重なり、ぼやけて見えるといった応答速度に関する問題が発生する。
上記した応答速度を改善するために、一般のＬＣＤパネルは、通常電圧よりも高い電圧を印加してオーバードライブ駆動を行う方法が採用され、そのために、入力データとその１フレーム前の入力データとから出力データを求めるルックアップテーブルが用いられる。
【０００４】
しかしながら、上記したオーバードライブ駆動によりＬＣＤパネルの応答速度は改善されるが、応答速度は温度依存性が大きく、ルックアップテーブルに書き込まれたオーバードライブ係数が固定の場合、温度変化が生じた場合には最適なオーバードライブ駆動とならず、画面のぼやけエッジが強調された映像になってしまう。
このため、周囲温度の変化に合わせてオーバードライブ係数の調節を行い、あるいは温度別のルックアップテーブルを複数種類設け、この中から最適なルックアップテーブルを選択して切り替え、オーバードライブ駆動を行うといったＬＣＤディスプレイが従来から多数提案されてきた（例えば、特許文献１、特許文献２、特許文献３参照）。
【特許文献１】特開２００３−２４１７２１号公報（段落「００２２」、図１、図２）
【特許文献２】特開２００５−１１４９５５号公報（段落「００２１」、図４）
【特許文献３】特開２００５−２７２８８２号公報（段落「００１９」）
【発明の開示】
【発明が解決しようとする課題】
【０００５】
上記した特許文献１〜３に開示された技術によれば、ＬＣＤパネルの周囲温度に応じて最適なオーバードライブ係数を取得できるため、改善した画像品質を得ることができる。
しかしながら、ＬＣＤモニタを横置きから縦置きに回転させて使用する場合、あるいは、ＰＣ休止状態から復帰した場合等、ＬＣＤパネルの温度変化要因は様々であり、また、ＬＣＤパネル近傍に設けられた温度センサで測定された温度が必ずしもＬＣＤパネルの温度になるとは限らないため、ＬＣＤパネルの温度をいかに正確に予測してオーバードライブ係数を決定するかが最重要設計事項になっていた。
【０００６】
また、オーバードライブ係数は、ＬＣＤパネルやＬＣＤディスプレイを製造する際に書き込まれた固定値、または調整値であるため、製造後に長期に渡って使用され、ＬＣＤパネルの温度特性やＬＣＤディスプレイ内部の温度特性が変化した場合には最適なオーバードライブ駆動にはならない。
そこで、使用時に最適なオーバードライブ係数を求めるためには、使用環境下で応答速度の測定を行うことが望ましいが、測定には高価な測定器と長時間の作業が必要であり、保守サービス、メンテナンス面において、高コストであり、実使用環境下での測定は困難であった。
【０００７】
本発明は上記諸々の事情に基づいてなされたものであり、ＬＣＤ等表示パネルの温度を正確に予測してオーバードライブ係数を決定することにより、高品位の動画表示を実現する、画像表示装置および画像表示装置におけるオーバードライブ係数の最適化方法を提供することを課題とする。
また、使用環境下で画像表示装置が表示パネルの応答速度を測定してオーバードライブ係数を最適化することにより、製造後の使用環境に適したオーバードライブ駆動を実現する、画像表示装置および画像表示装置におけるオーバードライブ係数の最適化方法を提供することも課題とする。
【課題を解決するための手段】
【０００８】
上記した課題を解決するために本発明の画像表示装置は、現在のフレーム映像と直前のフレーム映像によって決まるオーバードライブ係数に基づき、表示パネルのオーバードライブ駆動を行うルックアップテーブルを備えたオーバードライブ駆動部と、前記表示パネルの温度を検出する温度検出部と、前記検出された温度に適したオーバードライブ係数が複数記憶される記憶部と、起動や休止状態から復帰したときの前記表示パネルの動作経過時間を監視する時間監視部と、前記表示パネルの前面に設けられ、前記表示パネルに表示されるテストパターンの輝度を測定し、電圧に変換して応答速度を検出する応答速度測定部と、任意階調の前記テストパターンを順次生成して前記オーバードライブ駆動部へ出力するテストパターン生成部と、前記表示パネルの応答速度の測定モード時、前記テストパターン生成部を起動して前記テストパターンを順次生成するとともに、前記応答速度測定部から輝度の測定結果を取込んで順次オーバードライブ係数を算出し、前記温度検出部から取得した温度情報と、前記時間監視部から取得した時間情報とを基に、前記検出された温度と前記表示パネルの動作経過時間から求められる最適なオーバードライブ係数として、前記順次算出したオーバードライブ係数を前記記憶部に記憶させる制御部と、を有することを特徴とする。
【０００９】
また、本発明において、外部に外気温を検出する外気温検出部を更に備え、前記制御部は、前記温度検出部から取得した温度情報と前記外気温検出部から取得した外気温情報との差分と、前記時間監視部から取得した前記表示パネルの動作経過時間情報とを用いて前記記憶部に記憶されたオーバードライブ係数を選択し、前記ルックアップテーブルに設定することを特徴とする。
【００１０】
また、本発明において、前記表示パネルの使用状態における回転方向を検出する回転方向検出部を更に備え、前記制御部は、前記温度検出部から取得した温度情報と、前記時間監視部から取得した前記表示パネルの動作経過時間情報と、前記回転方向検出部から取得した前記表示パネルの回転方向情報とを用いて前記記憶部に記憶されたオーバードライブ係数を選択し、前記ルックアップテーブルに設定することを特徴とする。
【００１２】
また、本発明は、現在のフレーム映像と直前のフレーム映像によって決まるオーバードライブ係数に基づき、表示パネルのオーバードライブ駆動を行うルックアップテーブルを備えた画像表示装置におけるオーバードライブ係数の最適化方法であって、前記表示パネルの温度を検出するステップと、前記画像表示装置の起動や休止状態から復帰したときの前記表示パネルの動作経過時間を監視するステップと、オーバードライブ駆動部が、前記ルックアップテーブルに設定されたオーバードライブ係数に基づき表示パネルのオーバードライブ駆動を行うステップと、前記表示パネルの前面に設けられた応答速度測定部が、前記表示パネルに表示されるテストパターンの輝度を測定し、電圧に変換して応答速度を検出する応答速度測定ステップと、任意階調の前記テストパターンを順次生成して前記オーバードライブ駆動部へ出力するテストパターン生成ステップと、前記表示パネルの応答速度の測定モードにおいて、前記テストパターン生成ステップを起動して前記テストパターンを順次生成するとともに、前記測定された輝度の測定結果を取込んで順次オーバードライブ係数を算出し、温度検出部から取得した温度情報と、時間監視部から取得した時間情報とを基に、前記検出された温度と前記表示パネルの動作経過時間から求められる最適なオーバードライブ係数として、前記順次算出したオーバードライブ係数を記憶部に記憶させるステップと、を有することを特徴とする。
【発明の効果】
【００１４】
本発明によれば、表示パネルの温度を正確に予測してオーバードライブ係数を決定することができるため、高品位の動画表示が可能になる。また、使用環境下で画像表示装置が表示パネルの応答速度を測定してオーバードライブ係数を最適化することにより、製造後の使用環境に適したオーバードライブ駆動を実現することができる。
【発明を実施するための最良の形態】
【００１５】
実施の形態１．
図１は、本発明の実施の形態１にかかわる画像表示装置の内部構成を示すブロック図である。
本発明の実施の形態１にかかわる画像表示装置は、信号処理部１０と、オーバードライブ駆動部１１と、表示パネル１２と、記憶部１３と、温度検出部１４と、時間監視部１５と、制御部１６とで構成される。
【００１６】
信号処理部１０は、入力される映像信号を表示パネル１２の表示フォーマットに合わせた処理を実行してオーバードライブ駆動部１１へ出力する。オーバードライブ駆動部１１は、現在のフレーム映像と直前のフレーム映像とによって決まるオーバードライブ係数に基づき、表示パネル１２のオーバードライブ駆動を行う。オーバードライブ駆動部１１はまた、オーバードライブ係数が設定されるルックアップテーブル１１１を内蔵する。
表示パネル１２は、ここでは、各セル（画素）に印加される電界を変えることで各セルの透過率を変化させて画像を表示するＬＣＤパネルとする。
【００１７】
一方、記憶部１３には、温度検出部１４において検出された温度に適したオーバードライブ係数が複数記憶される。また、温度検出部１４は、温度センサ等により表示パネル１２近傍の温度を検出して制御部１６へ出力する。さらに、時間監視部１５は、ＰＣ起動や休止状態から復帰したときの表示パネル１２の動作経過時間を監視して制御部１６へ出力する。
制御部１６は、温度検出部１４から取得した温度情報と、時間監視部１５から取得した動作経過時間情報とを用いて、記憶部１３に記憶されたオーバードライブ係数の中から最適なオーバードライブ係数を選択してオーバードライブ駆動部１１に出力し、内蔵されるルックアップテーブル１１１に設定する機能を持つ。制御部１６は、具体的にはマイクロコンピュータ等により構成され、内蔵のＲＯＭに記録されたプログラムを逐次読み出し実行することにより、上記した機能を実現するものとする。
【００１８】
上記構成において、ＰＣから出力される映像信号１ａは、画像表示装置内の信号処理部１０に入力され、ここで、色変換や画像拡大等の処理が行われる。処理結果出力される映像信号は、オーバードライブ駆動部１１へ入力される。
オーバードライブ駆動部１１は、直前のフレームで表示パネル１２へ出力した映像信号と現在のフレームの映像信号とを基にルックアップテーブル１１１を用いた参照が行われ、このことにより映像信号が決定され表示パネル１２へ映像信号が出力される。
【００１９】
ルックアップテーブル１１１は、例えば、図２に示すデータ構造を有し、直前のフレーム（１フレーム前の映像）と現在フレーム（現在の映像）とから今回出力する映像信号を任意に設定することが可能になっている。ここで、表示パネル１２の応答速度が遅い映像信号の変化に対して、現在のフレームの映像信号よりも強調した映像信号が出力されるようにオーバードライブ係数を設定することで、表示パネル１２は、図３（ｃ）に示されるオーバードライブ駆動を行う。このことにより、応答速度が向上する。
なお、図３は、画像表示装置のオーバードライブ駆動の応答時間を説明するために引用した図であり、（ａ）は、ＰＣからの映像信号、（ｂ）は、オーバードライブ駆動しない場合の映像信号に対する応答時間、（ｃ）は、オーバードライブ駆動した場合の映像信号に対する応答時間を示す。
【００２０】
図４は、制御部１６の動作を説明するために引用したフローチャートである。以下、図４に示すフローチャートを参照しながら制御部１６によるオーバードライブ最適化処理について詳細に説明する。
制御部１６は、まず、画像表示装置内に設けられた温度検出部１４から温度情報を取得する（ステップＳ４１）。続いて取得した温度情報と、前回測定した温度情報とを比較し、変化の有無を判定する（ステップＳ４２）。ここで、変化有りと判定された場合、制御部１６は、オーバードライブ駆動部１１内のルックアップテーブル１１１を参照して最適なオーバードライブ係数の参照先を決定する（ステップＳ４３）。変化がない場合はオーバードライブ最適化処理を終了する。
【００２１】
制御部１６は、更に、参照先のオーバードライブ係数は、ルックアップテーブル１１１に既に設定済みか判定し（ステップＳ４４）、設定されていない場合、温度検出部１４により取得された温度情報に基づいて表示パネル１２の温度を予測し、その温度に対応した複数のオーバードライブ係数が保持されている記憶部１３から適当なオーバードライブ係数を選択して読み出す（ステップＳ４５）。そして、読み出されたオーバードライブ係数をオーバードライブ駆動部１１内のルックアップテーブル１１１へ設定して温度に適したオーバードライブ係数への切り替えを行い、オーバードライブ最適化処理を終了する（ステップＳ４６）。
なお、ステップＳ４４の処理において、参照先のオーバードライブ係数が既に設定されていると判定された場合は、上記したオーバードライブ最適化処理は終了する。
【００２２】
上記した説明は、周知のオーバードライブ最適化のための基本的な構成であるが、上記したように、表示パネル１２の応答速度は温度依存性が大きく、表示パネル１２の温度変化は表示パネル１２の稼動時間とともに変化する。
具体的に、図５に表示パネル１２の温度特性が示されるように、表示パネル１２は、起動直後（電源オン）から急激に温度が上昇し、電源オフ後は急激に温度が下降する。また、表示パネル１２使用中、表示パネル１２が接続されるＰＣが休止状態になった場合（電源オフ）、そして、休止状態から復帰した場合（再起動）も同様にも同様の温度変化が生じる
【００２３】
そこで、表示パネル１２の温度を把握するために、表示パネル１２に直接、温度センサ等の温度検出部１４を設けることが望ましいが、製造面での技術的な課題があり、また、高コストとなるため、多くは制御基板などの表示パネル１２とは別の近傍の場所に温度検出部１４が設けられており、間接的に測定された温度情報から表示パネル１２の温度を予測しなければならない。
しかしながら、間接的に測定している温度であるため、実際の表示パネル１２との温度は必ずしも一致せず、オーバードライブ係数を最適化するための温度情報としては正確ではない。図５に示されるように、電源起動やＰＣ休止状態から復帰した場合の温度上昇は、電源オフやＰＣ休止状態といった動作経過時間に依存しているため、この動作経過時間情報を把握するための手段が必要となる。
【００２４】
本発明の実施の形態１では、動作経過時間情報を監視するための手段として時間監視部１５が設けられており、制御部１６は、電源起動／オフ、および、ＰＣ休止状態／復帰を行う際に、それらの時間を時間監視部１５から取得する。このことにより、制御部１６は、オーバードライブ係数を選択する際に、温度検出部１４から取得した温度情報と、時間監視部１５から取得した時間情報とから、表示パネル１２の温度を予測することが可能である。
具体的に、制御部１６は、図４に示すフローチャートのステップＳ４４の処理で、温度情報の他に、起動や休止状態から復帰したときの動作経過時間情報を時間監視部１５から取得し、ステップＳ４５、Ｓ４６の処理で、制御部１６は、その温度情報と、経過時間情報とを用い、記憶部１３に記憶された複数のオーバードライブ係数のうち、最適なオーバードライブ係数を選択し、ルックアップテーブル１１１に設定する。
【００２５】
図６、図７は、本発明の実施の形態１にかかわる画像表示装置の応用例である。具体的に、図６にその構成が示されるように、図１に示される構成に、更に、画像表示装置の外部に、外気温を測定するために温度センサ等からなる外気温度検出部５１を付加することにより、制御部１６は、画像表示装置の使用環境下での温度（外気温）と、温度検出部１４による制御基板上の温度との差分から、表示パネル１２の正確な温度を予測することが容易となり、かつ、表示パネル１２の温度予測の精度が向上するため、最適なオーバードライブ係数を求めることができ、時間監視部１５による動作経過時間情報とを組み合わせることにより、電源起動時やＰＣ休止状態からの復帰においても高品位な動画表示が実現できる。
なお、図６において、外気温検出部５１以外の構成は、図１に示す構成と同様であるため、重複を回避する意味で説明を省略する。
【００２６】
図７は、図１に示した画像表示装置に、回転方向検出部６１が付加された画像表示装置の構成を示す図である。
表示パネル１２の温度変化は動作経過時間に依存することについは上記したが、温度変化はさらに画像表示装置の使用状態にも依存する。例えば、画像表示装置を、機構部品を支点に表示パネル１２を回転させ、縦置きから横置き状態に、あるいはその逆方向に切替えて使用可能な画像表示装置において、横置きの状態から縦置きの状態に変化させて使用する場合、表示パネル１２を横方向から縦方向に回転させる必要があり、この場合、表示パネル１２の温度は発熱する部品との位置関係が変わることから、横置きで使用した場合とは温度特性が異なる。また、温度検出部１４で検出される温度も同様の理由により測定結果が異なるため、温度検出部１４から出力される温度情報に対して補正が必要である。
【００２７】
図７に示す応用例では、図１に示す構成に、更に、上記した画像表示装置（表示パネル１２）の回転方向を検出するために、マイクロスイッチ等からなる回転方向検出部６１が付加されている。このため、制御部１６は、常時、回転方向検出部６１から画像表示装置の回転状態を取得することができる。制御部１６は、オーバードライブ係数を選択する際に、温度検出部１４から取得した温度情報と、時間監視部１５から取得した時間情報と、画像表示装置の回転状態情報とを用いて表示パネル１２の温度をさらに正確に予測することが可能となり、さらに、図６に示した応用例の外気温検出部５１から取得される外気温情報もパラメータとして付加することで一層表示パネル１２の温度予測の精度が向上し、画像表示装置の使用状態に最も適したオーバードライブ係数を選択することにより、高品位の動画表示を実現できる。
なお、図７において、回転方向検出部６１以外の構成は、図１に示す構成と同様であるため、重複を回避する意味で説明を省略する。
【００２８】
上記した本発明の実施の形態１によれば、温度依存性を持った表示パネル１２の応答速度に対し、様々な温度変化要因を把握し、温度情報の補正を行ってオーバードライブを最適化し、表示パネル１２の応答速度を向上させることで、使用者へ安定した高品位の動画表示を行うオーバードライブ機能を搭載した画像表示装置を提供することが可能となる。
【００２９】
実施の形態２．
図８は、本発明の実施の形態２にかかわる画像表示装置の内部構成を示すブロック図である。
図８において、符号７０〜７５は、図１に示す実施の形態１の信号処理部１０、オーバードライブ駆動部１１、表示パネル１２、記憶部１３、温度検出部１４、時間監視部１５のそれぞれに相当するため、ここでの構成および動作説明は省略する。本発明の実施の形態２によれば、上記構成に、さらに、テストパターン生成部７７と、応答速度検出部７８とが付加され、制御部７６が、テストパターン生成部７７と応答速度検出部７８とを用いて、オーバードライブ係数を算出して最適化する。以下、詳細に説明する。
【００３０】
制御部７６は、テストパターン生成部７７を用いて表示パネル７２に映像信号を表示させることが可能であり、ここでは、例として、０〜２５５階調までの映像信号を発生させることができるものとする。また、応答速度測定部７８は、表示パネル７２の前面に設けられており、測定輝度値を電圧値に変換して制御部７６へ出力することができる。このことにより、制御部７６は、電圧値から輝度レベル情報を取り込むことができる。
【００３１】
制御部７６は、表示パネル７２の応答速度を測定するモードに入ると、テストパターン生成部７７を用いて、入力の映像信号が無い状態であっても表示パネル７２へ映像信号を出力することができる。制御部７６は、表示パネル７２の応答速度を測定するため、テストパターン生成部７７に対して、はじめに０階調の映像信号を出力するように指示し、応答速度測定部７８を用いて輝度レベルのサンプリングを開始して取り込む。続いて、テストパターン生成部７７から１階調の映像信号を出力し、応答速度測定部７８により輝度レベルをサンプリングして取り込む。
次に、制御部７６は、ルックアップテーブル７１１の０−１のオーバードライブ係数を変更して階調変化時の輝度レベルのサンプリングを行い、この動作を輝度レベルの安定時間が短くなるまで繰り返し、安定時間が短くなった時の係数を０−１階調変化時の最適係数とする。
【００３２】
同様に、０−２、０−３、…、０−２５５階調まで上記動作を繰り返し測定してオーバードライブ係数を算出することにより、前フレームの映像が０、現在のフレームの映像が０〜２５５の組み合わせでオーバードライブ係数を最適化できたこととなる。
同様に、前フレームの映像を１〜２５５まで変化させながら、現在のフレームの映像を０〜２５５へ変化させたときの最適な全オーバードライブ係数を算出し、温度検出部７４から取得した温度情報と時間監視部７５から取得した時間情報とを基に、最適なオーバードライブ係数を記憶部７３へ記憶する。なお、前フレームと現在のフレームの映像が同じ場合はオーバードライブ駆動させる必要がないため、測定を省略することとする。
【００３３】
上記した本発明の実施の形態２によれば、画像表示装置の製造後であっても、高価な測定器やサービス、メンテナンス費用を発生させることなく、画像表示装置自身が表示パネル７２の応答速度を測定してオーバードライブ係数を最適化することで、表示パネル７２の特性、周囲温度、使用環境に適したオーバードライブ駆動を実現できることになり、使用者へ長期にわたり高品位の動画表示を行うオーバードライブ機能を搭載した画像表示装置を提供することができる。
【００３４】
以上説明のように本発明は、内外に設けられた温度センサ等温度検出手段（温度検出部１４、７４）と、表示パネルの動作経過時間を監視する手段（時間監視部１５、７５）とを用いて表示パネルの温度予測を高精度化してオーバードライブ係数の最適化を可能とし、また、画像表示装置自身が応答速度を測定する手段（応答速度測定部７８）を持つことによって自身でオーバードライブ係数を最適化し、長期に渡って使用者の環境に適したオーバードライブによる動画表示を行うことを可能とし、使用者へ高い動画表示品位と信頼性を持った液晶ディスプレイを提供するものである。
【図面の簡単な説明】
【００３５】
【図１】本発明の実施の形態１にかかわる画像表示装置の内部構成を示すブロック図である。
【図２】本発明の実施の形態１において使用されるルックアップテーブルのデータ構造の一例を示す図である。
【図３】本発明の実施の形態１における画像表示装置のオーバードライブ駆動の応答時間を説明するために引用した図である。
【図４】本発明の実施の形態１にかかわる画像表示装置の動作を説明するために引用したフローチャートである。
【図５】本発明の実施の形態１における表示パネル１２の温度特性を示すグラフである。
【図６】本発明の実施の形態１における応用例を説明するために引用したブロック図である。
【図７】本発明の実施の形態１における応用例を説明するために引用したブロック図である。
【図８】本発明の実施の形態２にかかわる画像表示装置の内部構成を示すブロック図である。
【符号の説明】
【００３６】
１０、７０…信号処理部、１１、７１…オーバードライブ駆動部、１２、７２…表示パネル、１３、７３…記憶部、１４、７４…温度検出部、１５、７５…時間監視部、１６、７６…制御部、５１…外気温検出部、６１…回転方向検出部、７７…テストパターン生成部、７８…応答速度測定部、１１１…ルックアップテーブル
【図１】
0005255186.tif 000002
【図２】
0005255186.tif 000003
【図３】
0005255186.tif 000004
【図４】
0005255186.tif 000005
【図５】
0005255186.tif 000006
【図６】
0005255186.tif 000007
【図７】
0005255186.tif 000008
【図８】
0005255186.tif 000009